(57)【要約】    【課題】  走行するケーブルの外周面にテープを螺旋状に巻回していくテープ巻回装置において、ケーブルの走行速度（線速）を上昇させてもテープをケーブルの外周面に円滑に巻回することができるようにして、製造時の歩留まりの向上を図ること。    【解決手段】  本発明では、テープ巻回装置(1)において、ケーブル(2)の外周面に向けてテープ(33)を押圧するための押圧ローラ(27)をテープ(33)の外側面側に回動自在に配設することにした。特に、押圧ローラ(27)の幅をテープ(33)の幅よりも広くすることにした。また、ケーブル(2)の外周面が所定距離以上変位したときにケーブル(2)の外周面に当接するガイドローラ(28)をケーブル(2)の外方位置に回動自在に配設することにした。さらに、押圧ローラ(27)又はガイドローラ(28)を回動自在に保持するローラ保持体(7,8)を設け、このローラ保持体(7,8)に押圧ローラ(27)又はガイドローラ(28)を位置変更可能に配設することにした。【選択図】      図５
2007076820.tif 000002
【特許請求の範囲】
【請求項１】
走行するケーブルの外周面にテープを螺旋状に巻回していくテープ巻回装置において、
前記ケーブルの外周面に向けて前記テープを押圧するための押圧ローラを前記テープの外側面側に回動自在に配設したことを特徴とするテープ巻回装置。
【請求項２】
前記押圧ローラの幅を前記テープの幅よりも広くしたことを特徴とする請求項１に記載のテープ巻回装置。
【請求項３】
前記ケーブルの外周面が所定距離以上変位したときに前記ケーブルの外周面に当接するガイドローラを前記ケーブルの外方位置に回動自在に配設したことを特徴とする請求項１又は請求項２に記載のテープ巻回装置。
【請求項４】
前記押圧ローラ又は前記ガイドローラを回動自在に保持するローラ保持体を有し、このローラ保持体に前記押圧ローラ又は前記ガイドローラを位置変更可能に配設したことを特徴とする請求項１〜請求項３のいずれかに記載のテープ巻回装置。
【発明の詳細な説明】
【技術分野】
【０００１】
本発明は、走行するケーブルの外周面にテープを螺旋状に巻回していくテープ巻回装置に関するものである。
【背景技術】
【０００２】
従来より、被覆や補強や電磁遮蔽などを目的としてケーブルの外周面に金属製のテープ等をテープ巻回装置を用いて螺旋状に巻回していた。
【０００３】
このテープ巻回装置は、たとえば特許文献１に開示されているように、ケーブルを直進走行させながらテープをケーブルの円周方向に向けて回転させ、これにより、走行するケーブルの外周面にテープを螺旋状に巻回していくよう構成されていた。
【０００４】
そして、従来のテープ巻回装置では、巻回するテープに所定の張力を加えながらテープをケーブルに巻き付けることによって、ケーブルの外周にテープを密着させるようにしていた。
【０００５】
このように、テープ巻回装置では、テープに張力を加えていたために、ケーブルの外周面にテープを巻回する際に、ケーブルがテープの張力によって引張られて撓んだ状態となる。そのため、テープの張力が強すぎるとケーブルの撓みによってケーブルの外周面にテープを円滑に巻き付けることができなくなることがあった。
【０００６】
そこで、図６に示すように、従来のテープ巻回装置101では、ケーブル102を前方へ向けて直進状に走行させるケーブル供給機の先端に取付けられた回転ヘッド103の前端に円筒状のガイド筒104を固定し、このガイド筒104の中空部にケーブル102を挿通させるとともに、このガイド筒104に形成したスリット105からケーブル102の外周面に向けてテープ106を供給するようにしていた。なお、スリット105には、ケーブル102に対して相対的に回転するスリット105の端縁でテープ106の内側面が擦れて傷が付くのを防止するために、ローラ107を取付けていた。
【０００７】
これにより、従来のテープ巻回装置101では、テープ106の張力によってケーブル102が撓んでも、ケーブル102の外周面がガイド筒104の内周面に当接して、ケーブル102がそれ以上撓まないように規制していた。
【特許文献１】実開平３−８００６９号公報
【発明の開示】
【発明が解決しようとする課題】
【０００８】
ところが、上記従来のテープ巻回装置101では、テープ106の張力だけによってケーブル102の外周面にテープ106を密着させるようにしていたために、テープ106の張力が弱すぎる場合には、ケーブル102の外周面にテープ106を密着させることができず、一方、テープ106の張力が強すぎる場合には、ケーブル102の撓みが増大してケーブル102の外周面が回転するガイド筒104の内周面に当設して、ケーブル102の外周面やテープ106の外周面が損傷してしまい、いずれの場合にも製造時の歩留まりを著しく低下させていた。
【０００９】
また、上記従来のテープ巻回装置101では、ガイド筒104の中空部にケーブル102を挿通させていたために、予めケーブル102の外径に応じたガイド筒104を複数種類準備しておく必要があり、設備コストの増大を招いていた。
【課題を解決するための手段】
【００１０】
そこで、請求項１に係る本発明では、走行するケーブルの外周面にテープを螺旋状に巻回していくテープ巻回装置において、前記ケーブルの外周面に向けて前記テープを押圧するための押圧ローラを前記テープの外側面側に回動自在に配設することにした。
【００１１】
また、請求項２に係る本発明では、前記請求項１に係る本発明において、前記押圧ローラの幅を前記テープの幅よりも広くすることにした。
【００１２】
また、請求項３に係る本発明では、前記請求項１又は請求項２に係る本発明において、前記ケーブルの外周面が所定距離以上変位したときに前記ケーブルの外周面に当接するガイドローラを前記ケーブルの外方位置に回動自在に配設することにした。
【００１３】
また、請求項３に係る本発明では、前記請求項１〜請求項３のいずれかに係る本発明において、前記押圧ローラ又は前記ガイドローラを回動自在に保持するローラ保持体を有し、このローラ保持体に前記押圧ローラ又は前記ガイドローラを位置変更可能に配設することにした。
【発明の効果】
【００１４】
そして、本発明では、以下に記載する効果を奏する。
【００１５】
すなわち、請求項１に係る本発明では、走行するケーブルの外周面にテープを螺旋状に巻回していくテープ巻回装置において、ケーブルの外周面に向けてテープを押圧するための押圧ローラをテープの外側面側に回動自在に配設しているために、押圧ローラによってテープを介してケーブルの外周面を押圧することになり、テープの張力でケーブルが撓んでしまうのを押圧ローラの押圧力によって防止することができ、ケーブルを略直線状に走行させることができるので、ケーブルの走行速度（線速）を上昇させてもテープをケーブルの外周面に円滑に巻回することができて、製造時の歩留まりの向上を図ることができる。
【００１６】
しかも、請求項１に係る本発明では、テープをケーブルに巻回する際に押圧ローラがテープの供給に伴って回転するために、テープの外側面を押圧ローラによって押圧してもテープの外側面を傷付けてしまうことがない。
【００１７】
また、請求項２に係る本発明では、押圧ローラの幅をテープの幅よりも広くしているために、テープの張力に起因してケーブルを撓ませる方向に作用する力をテープ幅よりも広い幅の押圧ローラで受け止めて力を分散させることができるので、ケーブルが局部的に撓んでしまうのを防止してケーブルを略直線状に走行させることができ、テープをケーブルの外周面により一層円滑に巻回することができる。
【００１８】
しかも、請求項２に係る本発明では、押圧ローラの幅をテープの幅よりも広くしているために、テープの供給位置が多少ずれたとしても、押圧ローラによってテープを介してケーブルを確実に押圧することができる。
【００１９】
また、請求項３に係る本発明では、ケーブルの外周面が所定距離以上変位したときにケーブルの外周面に当接するガイドローラをケーブルの外方位置に回動自在に配設しているために、テープの張力や押圧ローラの押圧力の作用でケーブルが変位してしまうのをガイドローラによって規制することができるので、テープをケーブルの外周面に円滑かつ確実に密着させることができる。
【００２０】
また、請求項４に係る本発明では、押圧ローラ又はガイドローラを回動自在に保持するローラ保持体を有し、このローラ保持体に押圧ローラ又はガイドローラを位置変更可能に配設しているために、押圧ローラ又はガイドローラの取付位置を変更することによって、押圧ローラによる押圧力やガイドローラによる規制範囲を容易に変更することができ、また、異なる外径のケーブルにも容易に対応することができる。
【発明を実施するための最良の形態】
【００２１】
以下に、本発明に係るテープ巻回装置の具体的な構成について図面を参照しながら説明する。
【００２２】
テープ巻回装置１は、図１〜図４に示すように、ケーブル２を前方へ向けて直進状に走行させるテープ供給機３の前端に回転駆動する円筒状の回転ヘッド４を設け、この回転ヘッド４の前面に３本の支持レール５を取付け、この支持レール５にテープ巻回機構６を前後方向にスライド自在に取付けている。
【００２３】
このテープ巻回機構６は、支持レール５に前後スライド自在に装着した円板状の前後一対のローラ保持体7,8と、前後のローラ保持体7,8の間に装着した押圧体９及びガイド体10とで構成している。
【００２４】
ローラ保持体7,8は、表面中央部にケーブル２を挿通させるためのケーブル挿通孔11,12を形成するとともに、表面外周部に支持レール５を挿通させるための支持レール挿通孔13,14を円周方向に間隔をあけて３個形成し、外周面に各支持レール挿通孔13,14に連通し支持レール５にローラ保持体7,8を固定するための固定用ネジ15,16を螺着している。
【００２５】
また、ローラ保持体7,8は、表面内周部及び表面外周部に押圧体９又はガイド体10を装着するためのローラ装着孔17,18,19,20を円周方向に異なる間隔をあけて５個づつ形成している。
【００２６】
押圧体９とガイド体10は、同様の構成となっており、円柱状の軸体21,22の前後端中央部に支持軸23,24,25,26をそれぞれ突設するとともに、各軸体21,22に円筒状の押圧ローラ27やガイドローラ28を回動自在に装着している。
【００２７】
これらの押圧体９及びガイド体10は、支持軸23,24,25,26をローラ保持体7,8のいずれかのローラ装着孔17,18,19,20に挿通し、各支持軸23,24,25,26をナット29,30,31,32で締結することによって、ローラ保持体7,8に押圧ローラ27及びガイドローラ28を回動自在に装着している。
【００２８】
そして、テープ巻回機構６は、ケーブル２をローラ保持体7,8のケーブル挿通孔11,12に挿通させることによって、ケーブル２を略中心部に位置させるとともに、テープ供給機から供給される帯状のテープ33を押圧体９とガイド体10との間からケーブル２の外周面へ向けて挿通し、テープ33を回転ヘッド４の回転に伴ってケーブル２の円周方向に回転しながらケーブル２の外周面上に連続して供給することによって、ケーブル２の外周面にテープ33を螺旋状に巻回するようにしている。なお、テープ33は、テープ供給機３において所定の張力をかけた状態でテープ巻回機構６に供給されている。
【００２９】
しかも、テープ巻回機構６は、図５に示すように、押圧体９の押圧ローラ27の外周面がケーブル２の外周面に巻回されたテープ33の外側面に当接するようにテープ33の外側面側に押圧ローラ27を回動自在に配置している。これにより、テープ巻回機構６は、押圧体９の押圧ローラ27がテープ33の供給に伴って回転しながらテープ33をケーブル２の外周面に向けて押圧するようにしている。
【００３０】
また、テープ巻回機構６は、ガイド体10のガイドローラ28の外周面にテープ33の中途部の内側面を当接させることによってテープ33の中途部を円弧状に屈曲させた状態でテープ33をケーブル２の外周面に供給するようにしている。
【００３１】
さらに、テープ巻回機構６は、ガイド体10のガイドローラ28の外周面とケーブル２の外周面との間に所定の間隔が保持されるようにケーブル２の外方にガイドローラ28を回動自在に配置している。これにより、テープ巻回機構６は、テープ33の張力や押圧ローラ27の押圧力の作用でケーブル２が撓むことによってケーブル２の外周面が所定距離以上変位したときに、ガイドローラ28がケーブル２の外周面に当接して、ケーブル２がそれ以上変位しないように規制している。
【００３２】
以上に説明したように、上記テープ巻回装置１では、ケーブル２の外周面に向けてテープ33を押圧するための押圧ローラ27をテープ33の外側面側に回動自在に配設している。
【００３３】
そして、上記テープ巻回装置１では、ケーブル２にテープ33を巻回する際に、押圧ローラ27の外周面がテープ33の外側面に当接し、押圧ローラ27によってケーブル２の外周面をテープ33を介して押圧している。
【００３４】
そのため、上記テープ巻回装置１では、テープ33の張力でケーブル２が撓んでしまうのを押圧ローラ27の押圧力によって防止することができ、ケーブル２を略直線状に走行させることができるので、ケーブル２の走行速度（線速）を上昇させてもテープ33をケーブル２の外周面に円滑に巻回することができて、製造時の歩留まりの向上を図ることができる。
【００３５】
しかも、上記テープ巻回装置１では、押圧ローラ27によってテープ33をケーブル２に巻回する際に押圧ローラ27がテープ33の供給に伴って回転するために、テープ33の外側面を押圧ローラ27によって押圧してもテープ33の外側面を傷付けてしまうことがなく、傷による商品価値の低下を未然に防止することができる。
【００３６】
特に、上記テープ巻回装置１では、押圧ローラ27の幅をテープ33の幅よりも広くしている。
【００３７】
そして、上記テープ巻回装置１では、テープ33の張力に起因してケーブル２を撓ませる方向に作用する力をテープ33の幅よりも広い幅の押圧ローラ27で受け止めて、その力を分散させるようにしている。
【００３８】
そのため、上記テープ巻回装置１では、ケーブル２がテープ33の供給位置で局部的に撓んでしまうのを防止することができ、ケーブル２を略直線状に走行させることができるの、テープ33をケーブル２の外周面により一層円滑に巻回することができる。
【００３９】
しかも、上記テープ巻回装置１では、押圧ローラ27の幅をテープ33の幅よりも広くしているために、テープ33の供給位置が多少前後にずれたとしても、押圧ローラ27によってテープ33を介してケーブル２を確実に押圧することができる。
【００４０】
また、上記テープ巻回装置１では、ケーブル２の外周面が所定距離以上変位したときにケーブル２の外周面に当接するガイドローラ28をケーブル２の外方位置に回動自在に配設している。
【００４１】
そして、上記テープ巻回装置１では、テープ33の張力や押圧ローラ27の押圧力の作用でケーブル２が撓むことによってケーブル２の外周面が所定距離以上変位したときに、ガイドローラ28がケーブル２の外周面に当接して、ケーブル２がそれ以上変位しないように規制している。
【００４２】
そのため、上記テープ巻回装置１では、ガイドローラ28によってケーブル２の撓みを規制してケーブル２を略直線状態に保持することができるので、テープ33をケーブル２の外周面に円滑かつ確実に巻回することができる。
【００４３】
しかも、上記テープ巻回装置１では、ガイドローラ28によってケーブル２の撓みを規制する際にガイドローラ28がテープ33の供給に伴って回転するために、ケーブル２の外側面にガイドローラ28が当接してもケーブル２の外側面を傷付けてしまうことがなく、傷によるケーブル２の断線や短絡の発生を未然に防止することができる。
【００４４】
また、上記テープ巻回装置１では、押圧ローラ27又はガイドローラ28を回動自在に保持するローラ保持体7,8を有し、このローラ保持体7,8に複数個形成したローラ装着孔17,18,19,20のいずれかを用いて押圧ローラ27又はガイドローラ28を保持するようにし、これにより、ローラ保持体7,8に押圧ローラ27又はガイドローラ28を位置変更可能に配設している。
【００４５】
そして、上記テープ巻回装置１では、押圧ローラ27又はガイドローラ28を保持するローラ装着孔17,18,19,20を変更するだけで、押圧ローラ27又はガイドローラ28の取付位置を変更できるようにしている。
【００４６】
そのため、上記テープ巻回装置１では、押圧ローラ27又はガイドローラ28の取付位置を変更することによって、押圧ローラ27の押圧力やガイドローラ28による規制範囲を容易に変更することができ、また、異なる外径のケーブル２にも容易に対応することができる。
【図面の簡単な説明】
【００４７】
【図１】本発明に係るテープ巻回装置を示す斜視図。
【図２】同左側面図。
【図３】同右側面断面図。
【図４】同正面図。
【図５】同拡大縦断面図。
【図６】従来のテープ巻回装置を示す左側面図(a)及び正面断面図(b)。
【符号の説明】
【００４８】
１  テープ巻回装置                        ２  ケーブル
３  テープ供給機                          ４  回転ヘッド
５  支持レール                            ６  テープ巻回機構
7,8  ローラ保持体                         ９  押圧体
10  ガイド体                              11,12  ケーブル挿通孔
13,14  支持レール挿通孔                   15,16  固定用ネジ
17,18,19,20  ローラ装着孔                 21,22  軸体
23,24,25,26  支持軸                       27  押圧ローラ
28  ガイドローラ                          29,30,31,32  ナット
33  テープ
101  テープ巻回装置                       102  ケーブル
103  回転ヘッド                           104  ガイド筒
105  スリット                             106  テープ
107  ローラ
【図１】
2007076820.tif 000003
【図２】
2007076820.tif 000004
【図３】
2007076820.tif 000005
【図４】
2007076820.tif 000006
【図５】
2007076820.tif 000007
【図６】
2007076820.tif 000008